【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
タッチ面が形成された表面ボードと、この表面ボードの裏面側に設けられた互いに並走する複数の第１の電極と、この第１の電極に交差するようにその裏面側に設けられた互いに並走する複数の第２の電極と、前記第１・第２の電極をそれぞれ被覆して保護する第１・第２の保護部と、前記第１・第２の電極及び前記第１・第２の保護部を支持する支持シートとを備え、
前記第１の保護部は、前記第１の電極に対応して複数形成され、互いに並走する前記第１の電極間に空隙が形成されるように、互いに並走する前記第１の保護部間に所定の間隔を設け、
前記第２の保護部は、前記第２の電極に対応して複数形成され、互いに並走する前記第２の電極間に空隙が形成されるように、互いに並走する前記第２の保護部間に所定の間隔を設けることを特徴とするタッチパネル装置。
【請求項２】
前記表面ボードは、タッチ操作により撓み変形可能な可撓性を有する合成樹脂材料にて形成され、前記保護部のうちの少なくとも表面側の前記第１の保護部は、タッチ操作により圧縮変形可能な柔軟性を有する合成樹脂材料にて形成されたことを特徴とする請求項１に記載のタッチパネル装置。
【請求項３】
前記第１・第２の電極が、両者を絶縁する前記支持シートの表裏各面にそれぞれ設けられたことを特徴とする請求項１若しくは請求項２に記載のタッチパネル装置。
【請求項４】
前記保護部は、前記電極を全体的に覆うようにその電極に沿って帯状に設けられたことを特徴とする請求項１乃至請求項３のいずれかに記載のタッチパネル装置。
【請求項５】
タッチ面が形成された表面ボードと、この表面ボードの裏面側に設けられた互いに並走する複数の第１の電極と、この第１の電極に交差するようにその裏面側に設けられた互いに並走する複数の第２の電極と、前記第１・第２の電極をそれぞれ被覆して保護する第１・第２の保護部と、前記第１・第２の電極及び前記第１・第２の保護部を支持する支持シートとを備えたタッチパネル装置の製造方法であって、
前記支持シートの一面に電極形成材料を線状に付着させて前記第１の電極を形成する工程と、
前記支持シートの一面に前記第１の電極を覆うように保護部形成材料を帯状に付着させて前記第１の保護部を形成する工程と、
前記支持シートの他面に電極形成材料を線状に付着させて前記第２の電極を形成する工程と、
前記支持シートの他面に前記第２の電極を覆うように保護部形成材料を帯状に付着させて前記第２の保護部を形成する工程と、
前記の各工程を経て前記支持シートに前記第１・第２の電極及び前記第１・第２の保護部を形成して得られた電極シートと前記表面ボードとを張り合わせる工程とを有することを特徴とするタッチパネル装置の製造方法。
【請求項６】
前記電極形成材料及び前記保護部形成材料の前記支持シートへの付着はスクリーン印刷により行われることを特徴とする請求項５に記載のタッチパネル装置の製造方法。
【手続補正２】
【補正対象書類名】明細書
【補正対象項目名】００１０
【補正方法】変更
【補正の内容】
【００１０】
本発明のタッチパネル装置は、タッチ面が形成された表面ボードと、この表面ボードの裏面側に設けられた互いに並走する複数の第１の電極と、この第１の電極に交差するようにその裏面側に設けられた互いに並走する複数の第２の電極と、前記第１・第２の電極をそれぞれ被覆して保護する第１・第２の保護部と、前記第１・第２の電極及び前記第１・第２の保護部を支持する支持シートとを備え、前記第１の保護部は、前記第１の電極に対応して複数形成され、互いに並走する前記第１の電極間に空隙が形成されるように、互いに並走する前記第１の保護部間に所定の間隔を設け、前記第２の保護部は、前記第２の電極に対応して複数形成され、互いに並走する前記第２の電極間に空隙が形成されるように、互いに並走する前記第２の保護部間に所定の間隔を設ける構成とする。
【手続補正３】
【補正対象書類名】明細書
【補正対象項目名】００１１
【補正方法】変更
【補正の内容】
【００１１】
また、本発明のタッチパネル装置の製造方法は、タッチ面が形成された表面ボードと、この表面ボードの裏面側に設けられた互いに並走する複数の第１の電極と、この第１の電極に交差するようにその裏面側に設けられた互いに並走する複数の第２の電極と、前記第１・第２の電極をそれぞれ被覆して保護する第１・第２の保護部と、前記第１・第２の電極及び前記第１・第２の保護部を支持する支持シートとを備えたタッチパネル装置の製造方法であって、前記支持シートの一面に電極形成材料を線状に付着させて前記第１の電極を形成する工程と、前記支持シートの一面に前記第１の電極を覆うように保護部形成材料を帯状に付着させて前記第１の保護部を形成する工程と、前記支持シートの他面に電極形成材料を線状に付着させて前記第２の電極を形成する工程と、前記支持シートの他面に前記第２の電極を覆うように保護部形成材料を帯状に付着させて前記第２の保護部を形成する工程と、前記の各工程を経て前記支持シートに前記第１・第２の電極及び前記第１・第２の保護部を形成して得られた電極シートと前記表面ボードとを張り合わせる工程とを有する構成とする。
【手続補正４】
【補正対象書類名】明細書
【補正対象項目名】００１４
【補正方法】変更
【補正の内容】
【００１４】
上記課題を解決するためになされた第１の発明は、タッチ面が形成された表面ボードと、この表面ボードの裏面側に設けられた互いに並走する複数の第１の電極と、この第１の電極に交差するようにその裏面側に設けられた互いに並走する複数の第２の電極と、前記第１・第２の電極をそれぞれ被覆して保護する第１・第２の保護部と、前記第１・第２の電極及び前記第１・第２の保護部を支持する支持シートとを備え、前記第１の保護部は、前記第１の電極に対応して複数形成され、互いに並走する前記第１の電極間に空隙が形成されるように、互いに並走する前記第１の保護部間に所定の間隔を設け、前記第２の保護部は、前記第２の電極に対応して複数形成され、互いに並走する前記第２の電極間に空隙が形成されるように、互いに並走する前記第２の保護部間に所定の間隔を設ける構成とする。
【手続補正５】
【補正対象書類名】明細書
【補正対象項目名】００２２
【補正方法】変更
【補正の内容】
【００２２】
前記課題を解決するためになされた第５の発明は、タッチ面が形成された表面ボードと、この表面ボードの裏面側に設けられた互いに並走する複数の第１の電極と、この第１の電極に交差するようにその裏面側に設けられた互いに並走する複数の第２の電極と、前記第１・第２の電極をそれぞれ被覆して保護する第１・第２の保護部と、前記第１・第２の電極及び前記第１・第２の保護部を支持する支持シートとを備えたタッチパネル装置の製造方法であって、前記支持シートの一面に電極形成材料を線状に付着させて前記第１の電極を形成する工程と、前記支持シートの一面に前記第１の電極を覆うように保護部形成材料を帯状に付着させて前記第１の保護部を形成する工程と、前記支持シートの他面に電極形成材料を線状に付着させて前記第２の電極を形成する工程と、前記支持シートの他面に前記第２の電極を覆うように保護部形成材料を帯状に付着させて前記第２の保護部を形成する工程と、前記の各工程を経て前記支持シートに前記第１・第２の電極及び前記第１・第２の保護部を形成して得られた電極シートと前記表面ボードとを張り合わせる工程とを有する構成とする。